(57)【要約】      （修正有）【課題】  第１の面ファスナーと第２の面ファスナーとの間に網戸の網を挟んで、網を強固に固定するとともに、網の交換を容易にした。【解決手段】  網戸の枠に接着された第１面ファスナー８の微小突起１６と、この第１面ファスナー８に連結されて折り返される第２面ファスナー９の微小突起１６とは、網戸の網５の網目１２に交互に挿通され、網５の端縁を挟んで固定する。微小突起１６の延出部１７は他の微小突起１６の受け止め部３１にそれぞれ係合し、第１の面ファスナーの各受け止め部３１…と第２の面ファスナー９の各受け止め部３１…との間に、網５の網線１１が挟まれ、網戸の網５が強固に固定される。【選択図】図１４
2006200354.tif 000002
【特許請求の範囲】
【請求項１】
網戸の枠に沿って配置され、多数の微小突起を表面に備えた第１の面ファスナーであって、この第１の面ファスナーの微小突起は網目に挿通されて網の網線に着脱自在に係合される第１の面ファスナーと、
上記第１の面ファスナーと反対側から、この網の網目に微小突起を挿通させて網の網線に着脱自在に係合され、上記第１の面ファスナーと共に上記網を挟む第２の面ファスナーであって、この第２の面ファスナーの微小突起は、上記第１の面ファスナーの微小突起が挿通されていない網目に挿通される第２の面ファスナーとを備えたことを特徴とする網戸用面ファスナー。
【請求項２】
第１の面ファスナーと第２の面ファスナーとからなる網戸用面ファスナーであって、
第１の面ファスナーと第２の面ファスナーとのうち、一方は網戸の枠に沿って配置され、他方は一方に着脱自在に係合し、
一方の面ファスナーは、多数の微小突起を表面に備えており、この微小突起は網の網目を挿通し、
他方の面ファスナーは、上記網を間に挟んで、上記一方の面ファスナーの微小突起に着脱自在に係合する多数の係合素子を表面に備えていることを特徴とする網戸用面ファスナー。
【請求項３】
上記第１の面ファスナーと上記第２の面ファスナーとは連結されており、しかも第１の面ファスナーと上記第２の面ファスナーとは折り返されて、上記網を間に挟むことを特徴とする請求項１または２記載の網戸用面ファスナー。
【請求項４】
上記微小突起の根元付近から側方に突出する受け止め部が形成され、この受け止め部は微小突起の先端から側方に突出している延出部より長く、上記係合される網の網線を受け止めて、延出部と受け止め部との間に網の網線を挟むことを特徴とする請求項１、２または３記載の網戸用面ファスナー。
【請求項５】
上記第１の面ファスナーの受け止め部は上記第２の面ファスナーの延出部と係合し、または上記第２の面ファスナーの受け止め部は上記第１の面ファスナーの延出部と係合することを特徴とする請求項４記載の網戸用面ファスナー。
【請求項６】
網戸の枠に沿って、多数の微小突起を表面に備えた第１の面ファスナーを配置する工程と、
この第１の面ファスナーの微小突起を、網の網目に挿通させて、網の網線に着脱自在に係合させる工程と、
上記第１の面ファスナーと反対側から、上記第１の面ファスナーの微小突起が挿通されていない上記網の網目に、第２の面ファスナーの微小突起を挿通させて、網の網線に着脱自在に係合させ、上記第１の面ファスナーと共に上記網を挟む工程とを備えたことを特徴とする網戸の製造方法。
【請求項７】
第１の面ファスナーと第２の面ファスナーとのうち、一方は網戸の枠に沿って配置し、他方は一方に着脱自在に係合する面ファスナーを用いた網戸の製造方法であって、
一方の面ファスナーは、多数の微小突起を表面に備えており、この一方の面ファスナーの微小突起を網の網目を挿通させる工程と、
他方の面ファスナーは、多数の係合素子を表面に備えており、上記網を間に挟んで、上記一方の面ファスナーの微小突起に当該第２の面ファスナーの係合素子を着脱自在に係合させる工程とを備えたことを特徴とする網戸の製造方法。
【請求項８】
上記請求項６または請求項７の網戸の製造方法によって製造されたことを特徴とする請求項６または請求項７記載の網戸。
【発明の詳細な説明】
【技術分野】
【０００１】
本発明は、網戸用面ファスナー、網戸の製造方法及び網戸に関する。
【背景技術】
【０００２】
従来、網戸の網を取り付ける方法としては、網戸の枠に面ファスナー（マジックテープ、登録商標、以下同じ）を接着し、網にも面ファスナーを接着し、これらの面ファスナーを係合して網戸の枠に網を取り付けていた。
【０００３】
【特許文献１】特開２００３−１３６７９号公報
【特許文献２】特開２００３−７４２７０号公報
【発明の開示】
【発明が解決しようとする課題】
【０００４】
しかしながら、上記のような網の取付では、面テープの裏面を両面テープなどで網に接着するため、網から面ファスナーが剥がれやすかった。
【０００５】
本発明は、上述した課題を解決するためになされたものであり、本発明の目的は、網が網戸から剥がれにくい、網戸を提供することである。
【課題を解決するための手段】
【０００６】
上記目的を達成するために、本発明は、第１の面ファスナーの微小突起は網目に挿通されて網の網線に着脱自在に係合され、  この第１の面ファスナーと反対側から、この網の網目に第２の面ファスナーの微小突起を挿通させて網の網線に着脱自在に係合させ、上記第１の面ファスナーと共に上記網を挟むようにした。
【０００７】
また、本発明は、第１の面ファスナーと第２の面ファスナーとのうち、一方は網戸の枠に沿って配置され、他方は一方に着脱自在に係合し、  一方の面ファスナーは、多数の微小突起を表面に備えており、この微小突起は網の網目を挿通し、  他方の面ファスナーは、上記網を間に挟んで、上記一方の面ファスナーの微小突起に着脱自在に係合する多数の係合素子を表面に備えた。
【発明の効果】
【０００８】
したがって、第１面ファスナーと第２面ファスナーの両微小突起が網の両側から挿通するので、網を強固に固定できる。また、第１の面ファスナーと第２の面ファスナーとの間に網を挟み、一方の面ファスナーの微小突起が、当該網の網目に挿通されて着脱自在に係合されるので、網が一方の面ファスナーに強固に係合し、網が容易に外れないようになる等の効果を奏する。
【０００９】
さらに、本発明における網戸の網は、例えば縦糸と横糸とが織り込まれているものであって、一体に繋がっているものではない。したがって、網の網目に第１の面ファスナーの微小突起を挿通させるとき、微小突起の大きさが網目の大きさより大きくても、縦糸に対して横糸をずらせて、または横糸に対して縦糸をずらせて、この微小突起を網目に容易に挿通させることができる。
【発明を実施するための最良の形態】
【００１０】
（１）網戸１の外観
図１は、網戸１の外観を示す。網戸１は２本の縦枠２と２本の横枠３と１本の中枠４とを備えており、これら縦枠２と横枠３と中枠４とにわたって網５が張られている。この網戸１に対して屋外側を「前側」、屋内側を「後側」、縦枠２及び横枠３に対して外方を「外側」、網５のある内方を「内側」という。
【００１１】
（２）網５の固定構造（第１実施例）
図２は、網戸１の縦枠２、横枠３及び中枠４の一部の断面を示し、網５の固定構造の第１実施例を示している。縦枠２及び横枠３の各内側、及び中枠４の両縁には、従来の網係合用の溝６が形成されている。従来はこの溝６の中へ網の縁をゴム紐で押し込んで網を固定していた。
【００１２】
この縦枠２、横枠３及び中枠４の溝６を塞ぐように、同枠２、３及び４に対して、断面「Ｌ字状」の長尺状の第１アタッチメント７が接合されている。この接合は、両面テープ、接着剤、ねじ及び／またはプレート磁石等、どのような手段によってもよい。この第１アタッチメント７の「Ｌ字状」の内縁の折れ曲がったガイド部７ａは、枠２、３及び４の内面に当接して、第１アタッチメント７が外方にずれるのが防止される。
【００１３】
この第１アタッチメント７の前面（図２上方）には、長尺状の第１面ファスナー８が両面テープ等によって接着されている。この第１面ファスナー８の表面には多数の微小突起が形成され、この多数の微小突起は網５の網目１２に挿通されて、網５が第１面ファスナー８に対して着脱自在に係合される。
【００１４】
この網５を間に挟んで上記第１の面ファスナー８に対して、長尺状の第２面ファスナー９が着脱自在に係合される。この第２面ファスナー９は、第２アタッチメント１０の後面（図２下方）に両面テープ等によって接着されている。
【００１５】
この第２アタッチメント１０は長尺状の板状であり、外縁がわずかに後方へ折り曲げられて、ガイド部１０ａとなっている。このガイド部１０ａは第１アタッチメント７の外縁に当接して、第２アタッチメント１０が内側へずれるのが防止される。
【００１６】
（３）網５の固定構造（第２実施例）
図３は、網戸１の縦枠２、横枠３及び中枠４の一部の断面を示し、網５の固定構造の第２実施例を示している。縦枠２、横枠３及び中枠４の溝６を塞ぐように、同枠２、３及び４に対して、断面「Ｌ字状」の長尺状の第１アタッチメント７が接合されている。
【００１７】
この接合は、両面テープ、接着剤、ねじ及び／またはプレート磁石等、どのような手段によってもよい。この第１アタッチメント７の「Ｌ字状」の内縁の折れ曲がったガイド部７ｂは、上記溝６内に入り、さらに内方へ折れ曲がっており、第１アタッチメント７が内方及び前方（図３上方）にずれるのが防止される。
【００１８】
この第１アタッチメント７の前面（図３上方）には、長尺状の第１面ファスナー８が両面テープ等によって接着されている。この第１面ファスナー８の表面には多数の微小突起が形成され、この多数の微小突起は網５の網目１２に挿通されて、網５が第１面ファスナー８に対して着脱自在に係合される。
【００１９】
この網５を間に挟んで上記第１の面ファスナー８に対して、長尺状の第２面ファスナー９が着脱自在に係合される。この第２面ファスナー９は、第２アタッチメント１０の後面（図３下方）に両面テープ等によって接着されている。
【００２０】
この第２アタッチメント１０は長尺状の板状であり、外縁がわずかに後方へ折り曲げられて、ガイド部１０ｂとなっている。このガイド部１０ｂは第１アタッチメント７の外縁に当接して、第２アタッチメント１０が内側へずれるのが防止される。
【００２１】
（４）網５の固定構造（第３実施例）
図４は、網戸１の縦枠２、横枠３及び中枠４の一部の断面を示し、網５の固定構造の第３実施例を示している。縦枠２、横枠３及び中枠４の溝６を塞ぐように、同枠２、３及び４に対して、断面「ヘ字状」の長尺状の第１アタッチメント７が接合されている。
【００２２】
この接合は、両面テープ、接着剤、ねじ及び／またはプレート磁石等、どのような手段によってもよい。この第１アタッチメント７の「ヘ字状」の内縁の折れ曲がったガイド部７ｃは、上記溝６内に斜めに入り、第１アタッチメント７が内方及び前方（図４上方）にずれるのが防止される。
【００２３】
この第１アタッチメント７の前面（図４上方）には、長尺状の第１面ファスナー８が両面テープ等によって接着されている。この第１面ファスナー８の表面には多数の微小突起が形成され、この多数の微小突起は網５の網目１２に挿通されて、網５が第１面ファスナー８に対して着脱自在に係合される。
【００２４】
この網５を間に挟んで上記第１の面ファスナー８に対して、長尺状の第２面ファスナー９が着脱自在に係合される。この第２面ファスナー９は、第２アタッチメント１０の後面（図４下方）に両面テープ等によって接着されている。
【００２５】
この第２アタッチメント１０は長尺状の板状であり、外縁がわずかに後方へ折り曲げられて、ガイド部１０ｃとなっている。このガイド部１０ｃは第１アタッチメント７の外縁に当接して、第２アタッチメント１０が内側へずれるのが防止される。
【００２６】
（５）網５の固定構造（第４実施例）
図５は、網戸１の縦枠２、横枠３及び中枠４の一部の断面を示し、網５の固定構造の第４実施例を示している。縦枠２、横枠３及び中枠４の溝６を塞ぐように、同枠２、３及び４に対して、断面「ロ字状」の長尺状の第１アタッチメント７が接合されている。
【００２７】
この接合は、両面テープ、接着剤、ねじ及び／またはプレート磁石等、どのような手段によってもよい。この第１アタッチメント７の「ロ字状」の前面外縁は延出され、「逆コ字状」に折れ曲がった係止部７ｄが形成される。
【００２８】
この係止部７ｄは、上記溝６の内側前縁に係止され、さらに、第１アタッチメント７の外面は枠２、３及び４の内面に当接され、第１アタッチメント７が外方、内方及び後方（図５下方）にずれるのが防止される。
【００２９】
この第１アタッチメント７の前面（図５上方）には、長尺状の第１面ファスナー８が両面テープ等によって接着されている。この第１面ファスナー８の表面には多数の微小突起が形成され、この多数の微小突起は網５の網目１２に挿通されて、網５が第１面ファスナー８に対して着脱自在に係合される。
【００３０】
この網５を間に挟んで上記第１の面ファスナー８に対して、長尺状の第２面ファスナー９が着脱自在に係合される。この第２面ファスナー９は、第２アタッチメント１０の後面（図５下方）に両面テープ等によって接着されている。
【００３１】
この第２アタッチメント１０は長尺状の板状であり、外縁がわずかに後方へ折り曲げられて、ガイド部１０ｄとなっている。このガイド部１０ｄは第１アタッチメント７の外縁に当接して、第２アタッチメント１０が内側へずれるのが防止される。
【００３２】
なお、第１アタッチメント７は省略されて、直接枠２、３及び４の溝６の外側の面に第１面ファスナー８が直接接着されてもよい。この場合、第２アタッチメント１０のガイド部１０ａ、１０ｂ、１０ｃ、１０ｄは、第２アタッチメント１０の外側ではなく内側に形成される。また、第２アタッチメント１０は省略されて、第２面ファスナー９だけが直接係合されてもよい。
【００３３】
（６）第１面ファスナー８及び第２面ファスナー９の構造（第５実施例）
図６〜図９は、第１面ファスナー８及び第２面ファスナー９の構造を示す。この構造は面ファスナー８、９としては第１実施例であるが、網５の固定構造を含む実施例全体としては第５実施例である。
【００３４】
この第１面ファスナー８の微小突起１６は微小錨状、微小矢印またはキノコ状であり、第１面ファスナー８の基板１５（基部）から微小突起１６が突出し、この微小突起１６の支柱１８の上方が曲がって正反対の方向へ突出して、やや下方向き／基板１５向きに延出されて一対の延出部１７が形成されている。
【００３５】
この微小突起１６の根元付近にはくびれたくびれ部が形成されてもよい。このくびれ部には、上記網５の網線１１が係合され、容易に抜けないようになる。この微小突起１６は横に複数列例えば５列配列され、第１面ファスナー８の長手方向に沿って所定間隔ごとに突設されている。
【００３６】
これら微小突起１６は、横から見ると、つまり図６及び図８の左または右から見ると、平坦な板状で一列に揃っている。したがって、上記延出部１７の延出方向及び曲がる方向は網戸１の網５に対して外方であり、支柱１８のくびれ部のくびれ方向及び凹み方向は網戸１の網５に対して内方である。
【００３７】
微小突起１６は平坦な板状で一列に揃っているので、網５の網目１２が微小突起１６に順次填め込められていくとき、この網目１２を正方形から細長く変形させて填め込むことができ、延出部１７があっても延出部１７が網目１２を挿通することができる。
【００３８】
これらの微小突起１６の第１面ファスナー８の長手方向の各間隔及び幅方向の各間隔は同じ／等間隔であり、網５の網目１２の間隔にほぼ一致または整数倍若しくは整数分の１の関係にある。これにより、第１面ファスナー８の全ての微小突起１６がずれずに及び漏れなく確実に、網５の各網目１２に係合していくことができる。この間隔は第１面ファスナー８の長手方向と幅方向とで異なっていてもよい。
【００３９】
これらの微小突起１６の第１面ファスナー８の長手方向の各間隔及び幅方向の各間隔は同じ／等間隔である。各微小突起１６の間隔は、例えば、第１面ファスナー８の長手方向では１．１５〜３．１８ｍｍまたは２．２〜２．５ｍｍ、第１面ファスナー８の幅方向でも１．１５〜３．１８ｍｍまたは２．２〜２．５ｍｍである。微小突起３の高さは１．５ｍｍ、幅は０．９ｍｍ、厚さは０．５ｍｍであり、基板４の幅は１２．０ｍｍ、厚さは０．４ｍｍであり、長手方向に長く成形されて押し出される。
【００４０】
網戸用の網５の網目１２は通常は１．５９ｍｍ、１．４１ｍｍ、１．２７ｍｍ、１．１５ｍｍ、１．０６ｍｍ、１．０ｍｍ等の大きさである。いちばん多いのは１．４１ｍｍまたは１．２７ｍｍである。微小突起１６の長手方向及び幅方向の間隔は、これらの網目１２の大きさと同じ、若しくは２倍、３倍、…、または１／２倍、１／３倍、…などである。
【００４１】
微小突起１６の間隔が網５の網目１２の間隔の２倍（整数倍）であると、網目１２の１つ置き（１つ以上置き）に微小突起１６が挿通され、同じく１／２倍（整数分の１倍）であると、１つの網目１２に微小突起１６が２つ（複数）ずつ挿通される。
【００４２】
図６〜図９の例は、各微小突起１６の間に網５を構成する網線１１が２本ずつ嵌め込まれ係合される。網目１２の大きさが大きくなったり、微小突起１６の密度が上がったりすると、各微小突起１６の間に上記網線１１が１本ずつ嵌め込まれ係合される。逆に、網目１２の大きさが小さくなったり、微小突起１６の密度が下がったりすると、各微小突起１６の間に上記網線１１が３本ずつ以上嵌め込まれ係合される。
【００４３】
なお、第１面ファスナー８の微小突起１６と第２面ファスナー９の微小突起１６とは、１つずつ互い違いに入り込むが、２つずつまたは３つずつ以上互い違いに入り込こんでもよい。
【００４４】
また、上記網５の網目１２の一部は、上記第１の面ファスナー８及び上記第２の面ファスナー９の何れの微小突起１６も挿通されなくてもよい。そうすると、微小突起１６が挿通されない網目１２が容易に変形し、微小突起１６が挿通する網目１２の変形を吸収できて、面ファスナー８、９の微小突起１６の間隔と網目１２の間隔とが若干一致していなくても、この不一致の誤差を吸収できる。このような何れの微小突起１６も挿通されない網目１２は、１列おきまたは複数列おきに存在してもよいし、１行おきまたは複数行おきに存在してもよい。
【００４５】
微小突起１６の延出部１７の長さは、上記挿通された網５の繊維・糸・針金が係合して容易に抜けて脱落しない寸法に設定される。この係合は、１つの網目１２に微小突起１６が２つ乃至複数ずつ挿通される場合に有効である。逆に、１つの網目１２に微小突起１６が１つずつ挿通される場合には、網５を第１面ファスナー８から外し易く、網５の交換が容易になる。
【００４６】
この微小突起１６の間隔は若干なら誤差があってもよい。網戸１の網５の網目１２の間隔は、微小突起１６を順次挿通させていくと、網５の縦糸と横糸とが互いにずれあって、この微小突起１６の間隔に合わせて伸縮させていくことができるからである。
【００４７】
従来のキノコ型の面ファスナー（マジックテープ）では、微小突起１６の間隔が非常に不均一であり、また間隔も上記１．４１ｍｍまたは１．２７ｍｍと同じまたは整数倍ではないので、網５の網目１２に対応して全ての微小突起１６を挿通させることはできない。
【００４８】
従来のキノコ型の面ファスナーでは、微小突起１６の各間隔が、キノコの大きさより若干小さくないと、面ファスナーが係合できないので、微小突起１６の間隔は非常に小さくなっていて、網戸１の網５の網目１２間隔に対応したものはなかった。
【００４９】
この従来の面ファスナーのキノコ突起を間引いて網５の網目１２に挿通させることもできるが、そうすると、この間引いた面ファスナーに対して、従来のキノコ型面ファスナーなどどのような面ファスナーを係合させても、上記間引きによって係合力は極端に低下し、網５はすぐに外れてしまう。
【００５０】
上記第１の面ファスナー８及び／または第２の面ファスナー９は長尺状であり、上記微小突起１６の延出部１７は、上記長尺状の長尺方向とほぼ直交する方向（幅方向）に延出されている。
【００５１】
したがって、ファスナー８の微小突起１６の幅方向の数が長尺方向の数より少なくても、延出部１７が網５の網目１２に引っかかり、網５は面ファスナー８、９の幅方向からずれたり外れたりしないし、さらには延出部１７が第２の面ファスナー９の微小ループ２６（係合素子）に引っかかり、第２ファスナー９は面ファスナー８、９の幅方向からずれたり外れたりしない。このように、面ファスナー８、９の幅方向においては、面ファスナー８、９は互いにはずれにくく、網５もはずれにくいことになる。
【００５２】
また、ファスナー８、９の長尺方向には、延出部１７が延出されていないが、全体としては、長尺方向には微小突起１６の数が多いので、網５は面ファスナー８、９の長尺方向（長手方向）からずれたり外れたりしないし、第２ファスナー２は第１ファスナー１の長尺方向（長手方向）からずれたり外れたりしない。
【００５３】
しかし、面ファスナー８、９の長手方向においては、延出部１７が延出されていないため、部分的には、面ファスナー８、９は比較的はずれやすく、網５も比較的はずれやすく網５の交換も容易になる。
【００５４】
この第１面ファスナー８の基板１５の片側の縁であって、基板１５の外側の縁には、レール状の切断ガイド１９が形成されている。この切断ガイド１９は基板１５の表面から上方（前方）へ突出している。
【００５５】
この切断ガイド１９の内側面または外側面にカッター等を当てて、網５を容易に切断して行くことができる。この切断ガイド１９の代わりに、上記第２アタッチメント１０のガイド部１０ａまたは第１アタッチメント７外縁を利用して、網５が切断されても良いし、切断ガイド１９は省略されてもよい。
【００５６】
第２面ファスナー９の基板２５からは、微小ループ（微小環または微小リング）２６（係合素子）が突設されている。この微小ループ２６は、上記網５の網目１２に挿通されず、網目１２を挿通している第１面ファスナー８の上記微小突起１６の先端の延出部１７に係合する。これにより、網５が互いに係合する２つの面ファスナー８及び９で挟まれ、第１面ファスナー８の微小突起１６と連結する微小ループ２６の中から、網５の網目１２がはずれなくなる。
【００５７】
この微小ループ２６の密度は、上記微小突起１６の密度の数倍乃至数十倍あり、微小突起１６に比べて非常に多数形成されている。したがって、微小突起１６の１つの延出部１７に対して少なくとも１つ乃至は複数の微小ループ２６が係合され、微小ループ２６が係合されないことはあっても、微小突起１６が係合されないということはない。
【００５８】
なお、この第１面ファスナー８の微小突起１６の全部または一部は、上記微小錨状、微小矢印状または微小キノコ状のほか、「逆Ｊ字状」の微小鉤状または微小鈎状であってもよいし、上方から見たとき「Ｘ字状」「×字状」「○字状」で、四方、八方または全周囲に延出部１７が伸びていてもよい。これは図１０〜図１３の第２面ファスナー９の微小突起１６も同じである。
【００５９】
上記微小突起１６が微小錨状、微小矢印状または微小キノコ状のように、上方に向かって尖っていると、網５の網目１２が容易に挿通することができる。そして、いったん網目１２が挿通されると、網目１２が微小突起１６から容易にはずれなくなる。
【００６０】
また、第２面ファスナー９の微小ループ（微小環または微小リング）２６（係合素子）は、上記「Ｔ字状」の凸状の網押さえ機能を有するもののほか、交互に高さの異なる「Ｔ字状」の凸状、「Ｉ字状」の凸状、多数の「逆Ｊ字状」の微小鉤状、多数の「逆Ｊ字状」の微小鈎状または多数の微小錨状、微小矢印状または微小キノコ状の微小突起であってもよい。
【００６１】
微小突起１６の延出部１７は、微小突起１６の支柱に対して互いに正反対の方向に伸びていて互いに対称形であるから、第２面ファスナー９の微小ループ２６と係合するので、微小突起１６の前後左右にバランスよく力が働いて分散し、微小突起１６に片寄った力が働かず、微小突起１６を傾ける力が働きにくく、微小突起１６から微小ループ７がはずれにくい。
【００６２】
また、このように、微小突起１６の前後左右にバランスよく力が働いて分散し、微小突起１６に片寄った力が働かないので、微小突起１６の強度を高める必要がなくなり、微小突起１６を薄くできる。
【００６３】
また、延出部１７の延出方向は微小突起１６から互いに正反対の方向で互いに対称形あるから、網の網目１２に微小突起１６を通すとき、微小突起１６の前後左右にバランスよく力が働き、微小突起１６に片寄った力が働かず、微小突起１６を傾ける力が働きにくく、微小突起１６が網５の網目１２を容易に挿通することができる。微小突起１６が斜めであると、網５の網目１２を挿通し難い。なお、延出部１７は支柱１８の両側２カ所ではなく、片側一カ所だけに延出されてもよい。
【００６４】
上記第１面ファスナー８と上記第２面ファスナー９とは互いに着脱自在に係合されるし、第１面ファスナー８に網５は着脱自在に係合される。したがって、網５が破損して網５を交換するときには、第１面ファスナー８から上記第２面ファスナー９を外し、網５を第１面ファスナー８から外せばよい。そして、上述したように、網５を第１面ファスナー８に係合し、網５を間に挟んで第１面ファスナー８に第２ファスナー９を係合すればよい。
【００６５】
第１面ファスナー８の素材はポリエチレンテレフタレートなどのポリエステル、ポリプロピレンなどのポリオレフィン、ポリ塩化ビニル、ポリスチレン、ポリアミドなどの紫外線に対する耐久性の強い樹脂が用いられ、基板１５、微小突起１６、延出部１７、支柱１８、くびれ部、切断ガイド１９全てが一体成形（成型）される。この場合、一対の回転金型に細長い成形前の樹脂素材が送り込まれ、一対の回転金型で加熱加圧挟圧されて、図６のような第１面ファスナー８が成形されて長尺状に順次押し出されてくる。
【００６６】
したがって、第１面ファスナー８の製造は容易で安価となる。第２面ファスナー９は紫外線に対する耐久性の強い長尺状の布に多数の微小ループ２６を縫い込んだり編み込んだりして製造される。これら第１面ファスナー８と上記第２面ファスナー９とは、網５の周囲に全て切れ目なく配置されるが、場合によって、第２面ファスナー９は網の５の周囲の一部だけに配置されてもよいし、第１面ファスナー８も網５の周囲の一部だけに配置されてもよい。
【００６７】
（７）第１面ファスナー８及び第２面ファスナー９の構造（第６実施例）
図１０〜図１３は、第１面ファスナー８及び第２面ファスナー９の構造を示す。この構造は面ファスナー８、９としては第２実施例であるが、網５の固定構造を含む実施例全体としては第６実施例である。
【００６８】
この第１面ファスナー８及び第２面ファスナー９の微小突起１６は微小錨状、微小矢印状またはキノコ状であり、第１面ファスナー８の基板１５（基部）から微小突起１６が突出し、この微小突起１６の上方が曲がって正反対の方向へ突出して、やや下方向き／基板１５向きに延出されて一対の延出部１７が形成されている。
【００６９】
この微小突起１６の支柱１８の中央部分はくびれていてくびれ部が形成されてもよい。このくびれ部には、上記網５の網線１１が係合され、容易に抜けないようになる。この微小突起１６は横に複数列例えば第１面ファスナー８は４列、第２面ファスナーは５列配列され、第１面ファスナー８及び第２面ファスナー９の長手方向に沿って所定間隔ごとに突設されている。
【００７０】
これら微小突起１６は、上から見ると、図１１及び図１２に示すように、平板状つまり平坦な板状で、斜め方向に一列に揃っていて、長方形にみえる。したがって、上記延出部１７の延出方向及び曲がる方向、及び上記くびれ部のくびれ方向及び凹み方向は、第１面ファスナー８及び第２面ファスナー９の長手方向と幅方向との間の斜め方向に伸びている。図１０〜図１３の例ではこの斜めの方向は、長手方向と幅方向とのちょうど中間の４５度である。
【００７１】
これら第１面ファスナー８と第２面ファスナー９との間には、基板１５の厚みが薄くなった長手方向に伸びる連結折り返し部１３が形成され、第１面ファスナー８に対して第２面ファスナー９を折り返して重ねて、第１面ファスナー８に対して第２面ファスナー９を係合することが可能となっている。
【００７２】
この連結折り返し部１３は、第１面ファスナー８と第２面ファスナー９を製造するときに両ファスナー８及び９の連結部分を折り曲げた状態で成型することで形成されたり、両ファスナー８及び９の連結部分に熱を加えて折り曲げたりして形成されたりもする。
【００７３】
第１面ファスナー８と第２面ファスナー９を製造するときに両ファスナー８及び９の連結部分を開いて伸ばした状態で成型すると、第１面ファスナー８と第２面ファスナー９とは互いに離間して開く方向に付勢される。逆に、第１面ファスナー８と第２面ファスナー９を製造するときに両ファスナー８及び９の連結部分を折り曲げた状態で成型すると、第１面ファスナー８と第２面ファスナー９とは互いに接近して閉じる方向に付勢される。
【００７４】
上述のように上記延出部１７は上記基板１５の長手方向と幅方向の間の斜め方向に延出されており、図１２に示すように、平織りの網５の正方形の網目１２において、この正方形の中の内間距離のいちばん長い対角線位置に、微小突起１６の幅または一方の延出部１７から他方の延出部１７までの長さがほぼ一致するので、正方形の網目１２から延出部１７、１７がはずれにくくなる。この場合、一方の延出部１７から多能の延出部１７までの長さは、網５の正方形の網目１２の対角線とほぼ同じか、若干小さいか、若干大きい。
【００７５】
もし、延出部１７の延出方向が第１面ファスナー８の幅方向に沿っていて、上記網５の正方形の網目１２の幅／一辺の長さに、微小突起１６の幅または一方の延出部１７から他方の延出部１７までの長さがほぼ一致すると、網５が引っ張られたりして微小突起１６が捻られたとき、延出部１７が網目１２からはずれてしまい、微小突起１６が網５からはずれてしまうことになってしまう。
【００７６】
図１３に示すように、上記網５も折り返され、この折り返し部分の重なった網５の網目１２には上記両面ファスナー８、９の両微小突起１６が共に挿通される。つまり、１つの微小突起１６には重なった二重の網５の網目１２が挿通され、網５が両面ファスナー８、９に強固に固定される。１つの微小突起１６に重なった二重の網５の網目１２が挿通されるのは、第１面ファスナー８及び第２面ファスナー９いずれも同じである。
【００７７】
このように網５の端縁が折り返され、この折り返し部分が第１面ファスナー８及び第２面ファスナー９の折り返しの中に覆い隠されるので、網５の端縁が目立つことがなく、網戸１が見た目に美しく見える。また、折り返される側の第２面ファスナー９の端縁は他方の第１面ファスナー８の端縁より突出しているので、第１面ファスナー８の端縁が覆い隠されるので、第１面ファスナー８の端縁が目立つことがなく、網戸１が見た目に美しく見える。
【００７８】
なお、網５の端縁の折り返しは二重ではなく、三重、四重、五重、…など、多数重でもよい。これにより、網５の端縁の余り・はみ出しが大きくても、折り返される第１面ファスナー８及び第２面ファスナー９の中に必ず覆い隠される。このとき、１つの微小突起１６に三重、四重、五重、…など、多数重の網５の網目１２が挿通され、係合が強固になる。また、網５の端縁の折り返しは無くてもよい。
【００７９】
上記第２の面ファスナー９の折り返された端縁の微小突起１６は他の微小突起１６より高さが低くなっている。この短い分、第２面ファスナー９の端縁は網５に接近されるので、第２面ファスナー９の端縁がめくれ上がって、第２面ファスナー９が第１面ファスナー８から剥がれるのが防止されるし、第１面ファスナー８の端縁がより覆い隠されるので、第１面ファスナー８の端縁がより目立つことがなく、網戸１がより見た目に美しく見える。
【００８０】
また、上記第１の面ファスナー８の折り返された端縁の微小突起１６は他の微小突起１６より高さが低くなっている。この短い分、網５が第１面ファスナー８に接近されるので、網５がめくれ上がって、網５が第１面ファスナー８から剥がれるのが防止されるし、第１面ファスナー８の端縁がより覆い隠されるので、第１面ファスナー８の端縁がより目立つことがなく、網戸１がより見た目に美しく見える。
【００８１】
なお、第１の面ファスナー８及び第２の面ファスナー９の折り返された端縁の微小突起１６は他の微小突起１６と同じ高さでもよい。この場合、第１面ファスナー８及び第２面ファスナー９を開いた状態で、網５を両面ファスナー８、９の微小突起１６に係合してから、はみ出した網５の端縁を切り取ってから、上記第２面ファスナー９を折り返すことになる。
【００８２】
上記微小突起１６の各間隔は、当該微小突起１６の幅より大きく、第１面ファスナー８の微小突起１６の間に、第２面ファスナー９の微小突起１６が、互い違いに交互に入り込む。したがって、網５の網目１２を両側から微小突起１６が交互に挿通・貫通して、延出部１７で網５の網線１１を引っかけて、網５を互いに引き合うようにして、網５を挟み込むことができ、網５を強固に固定できる。また、網５の網線１１を両面ファスナー８及び９の向きが正反対の微小突起１６、１６で挟み込むことができるので、網５を容易に離脱しないように固定できる。
【００８３】
この場合、第１面ファスナー８の微小突起１６と第２面ファスナー９の微小突起１６とは、互いに係合はしない。これにより、第１面ファスナー８の微小突起１６と第２面ファスナー９の微小突起１６との間に、網５の網線１１を挟んで係合することができ、網５を強固に固定できる。この場合、両微小突起１６は、網５を通じて互いに連結されることになる。
【００８４】
むろん、網５の網線１１の太さに応じて、第１面ファスナー８の微小突起１６と第２面ファスナー９の微小突起１６とは、互いに係合するように接近されてもよい。この場合、上記微小突起１６の各間隔は、当該微小突起１６の幅より小さくなる。
【００８５】
また、上述したように第１の面ファスナー８と第２の面ファスナー９とが互いに離間して開く方向に付勢されていれば、上記微小突起１６に網５の網線１１を引っかけて、網５を貫通して網５の向こう側から手前側に網５を引き寄せ、しかもこの引き寄せを網５の両側から交互に行うことができるので、網５を容易に離脱しないように固定できる。
【００８６】
さらに、第１の面ファスナー８と第２の面ファスナー９とが互いに離間して開く方向に付勢されていれば、網５の交換では、第１の面ファスナー８と第２の面ファスナー９とを容易に離間させることができて、網５の交換が容易になる。第１の面ファスナー８と第２の面ファスナー９とが互いに接近して閉じる方向に付勢されていれば、網５を強く挟み込むことができる。
【００８７】
また、第１の面ファスナー８と第２の面ファスナー９とは上述のように連結折り返し部１３によって連結されているので、第１の面ファスナー８と第２の面ファスナー９との係合の向き及び係合の位置がずれてしまうことがなく、必ず同じ向き同じ位置で係合でき、係合力が弱くなってしまうことがなく、係合力を一定に保つことができる。第１の面ファスナー８と第２の面ファスナー９とが分離していると、係合のたびに、係合の向き及び係合の位置がずれてしまい、係合力が弱くなり、係合力が変化してしまうことになる。
【００８８】
他の構成・構造・作用は上記図６〜図９の第５実施例と同じである。なお、第１面ファスナー８と第２面ファスナー９とは連結折り返し部１３によって連結されず、分離されていてもよい。この場合、第２面ファスナー９に対して網５の端縁を一重若しくは二重又は三重以上巻き付けて、微小突起１６に網５の網目１２を一重若しくは二重又は三重以上挿通させてから、第２面ファスナー９を第１面ファスナー８に係合する。この場合、第２面ファスナー９の表裏両面に微小突起１６を形成して、網５を巻き付けた第２面ファスナー９の上に同様の構造の第３面ファスナーを係合させてもよい。
【００８９】
また、第２面ファスナー９のさらに外側に連結折り返し部１３を形成して、同じ構造の第３面ファスナーを連結し、またはさらに第４面ファスナー、第５…を連結し、これらの面ファスナーを二重、三重、…に折り返してもよい。この場合網５の端縁を二重、三重、…に巻き込んでいくことができる。この場合、第２面ファスナー９、第３面ファスナー、第４面ファスナー、…の表裏両側に微小突起１６が形成される。
【００９０】
さらに、上記連結された第１面ファスナー８及び第２面ファスナー９を二組以上用意し、これらを互い違いに交互に重ねて、間に網５を挟んでもよい。この場合、各第１面ファスナー８及び第２面ファスナー９の表裏両面に微小突起１６が形成される。また、図１０〜図１３において、第２面ファスナー９を上記図８における第２面ファスナー９と同様の微小ループ２６を多数有する面ファスナーに置き換えてもよい。
【００９１】
（８）第１面ファスナー１及び第２面ファスナー２の製造方法・材質
上記または下記第１面ファスナー８、第６実施例または／及び第７実施例の第２面ファスナー９を製造するには、例えば次のように行う。第１面ファスナー８または／及び第６実施例の第２面ファスナー９を製造するための押出機（成型機）の射出口は、上記図６、図１０または図１４に示すような形状をしていて、所定の樹脂圧によって溶融樹脂が連続的に射出される。これにより、このような図６及び図１０の断面形状の樹脂成形物が順次射出されていく。
【００９２】
この射出された樹脂成形物は、上記図７の横方向に向かって、基板１５だけを残して、所定間隔（例えば０．５ｍｍ）ごとに、カッター刃で切れ目が入れられ、このカッター刃は上記射出口を塞ぎながらも、当該樹脂成形物は基板１５だけが引き出されていき、基板１５が所定間隔（０．５ｍｍ）引き出されたら、カッター刃が引き上げられ、図６、図１０または図１４に示すような断面形状で樹脂成形物が引き出され、これが繰り返される。これにより、図７に示すような横向きの微小突起１６がこの所定間隔ごとに残っていく。また、各微小突起１６は横方向に一列に揃うことになる。
【００９３】
また、上記射出された樹脂成形物は、上記図１１の左上から右下の斜め方向に向かって、基板１５及び２５だけを残して、所定間隔（例えば０．５ｍｍ）ごとに、カッター刃で切れ目が入れられ、このカッター刃は上記射出口を塞ぎながらも、当該樹脂成形物は基板１５だけが引き出されていき、基板１５が所定間隔（０．５ｍｍ）引き出されたら、カッター刃が引き上げられ、図６、図１０または図１４に示すような断面形状で樹脂成形物が引き出され、これが繰り返される。これにより、図１１に示すような斜め向きの微小突起１６がこの所定間隔ごとに残っていく。また、各微小突起１６は斜め方向に一列に揃うことになる。
【００９４】
さらに、上記射出された樹脂成形物は硬化された後、上記図１１の左上から右下の斜め方向に向かって、基板１５及び２５だけを残して、所定間隔（例えば０．５ｍｍ）ごとに、切削機で削り取られていく。これにより、図１１に示すような斜め向きの微小突起１６がこの所定間隔ごとに残っていく。また、各微小突起１６は斜め方向に一列に揃うことになる。
【００９５】
またさらに、上記射出された樹脂成形物は硬化された後、上記図７の横方向に向かって、基板１５だけを残して、所定間隔（例えば０．５ｍｍ）ごとに、切削機で削り取られていく。これにより、図７に示すような横向きの微小突起１６がこの所定間隔ごとに残っていく。また、各微小突起１６は横方向に一列に揃うことになる。
【００９６】
微小突起１６の横方向の間隔は、微小突起１６の横方向の幅の２倍〜２．５倍、または（微小突起１６の横方向の幅）＋（網線１１の太さ）×２と同じまたはこれ以上とされる。また、連結折り返し部１３の両側の微小突起１６の間隔は、（微小突起１６の幅）＋（微小突起１６の高さ）より大きく、微小突起１６の横方向の間隔の数倍、例えば３倍乃至１０倍とされる。
【００９７】
（９）第１面ファスナー８及び第２面ファスナー９の構造（第７実施例）
図１４は第７実施例を示す。本第７実施例では、上記微小突起１６の支柱１８の根本からやや上の位置において、当該微小突起１６の水平長手方向／側方に沿って、支柱１８の両側面から互いに反対方向に水平方向に、受け止め部３１が四角棒状に突出されている。この受け止め部３１の厚さは微小突起１６の厚さと同じである。微小突起１６の向きは図１１及び図１２の様に斜めでもよいし、図７及び図９の様に横方向でもよい。
【００９８】
この受け止め部３１の長さは１６微小突起の先端から側方に突出している延出部１７より長く、上記係合される網５の網線１１を受け止めて、延出部１７と受け止め部３１との間に網５の網線１１を挟むことができる。
【００９９】
また、面ファスナー８、９の基板（基部）１５から網５を浮かせて、網５が斜めになるのを防止でき、また網５の弛みを防止でき、この弛みの分だけ、網５の網目１２がずれてしまうのを防止できて、寸法どおりの間隔で微小突起１６を網目に挿通させていくことができる。この受け止め部３１は網５、網目１２または網線１１の侵入を阻止するストッパとしての役目も果たしている。
【０１００】
そして、上記第１の面ファスナー８の受け止め部３１は上記第２の面ファスナー９の延出部１７と係合し、及び／または上記第２の面ファスナー９の受け止め部３１は上記第１の面ファスナー８の延出部１７と係合する。これにより、微小突起１７が網５に係合するだけでなく、両面ファスナー８、９の微小突起１６どうしも係合できて、網５をより強固に固定できる。
【０１０１】
この場合、第１の面ファスナーの各受け止め部３１…と第２の面ファスナー９の各受け止め部３１…との間に、網５の網線１１が挟まれ、網戸１の網５が強固に固定される。このため、受け止め部３１…の上から延出部１７…までの間隔は、受け止め部３１…の厚さと網線１１の厚さの合計より大きくなる。
【０１０２】
また、上記強固な固定が達成されるため、延出部１７と延出部１７との幅は、網目１２の幅よりかなり小さくてもよい。この場合、若干小さくてもよいし、延出部１７と延出部１７との幅は網目１２の幅と同じ大きさでもよい。
【０１０３】
この受け止め部３１の下から基板１５（８）、２５（９）までの間の支柱１８の幅は、受け止め部３１から上の支柱１８の幅より大きい。この場合、この受け止め部３１の下から基板１５（８）、２５（９）までの間の支柱１８の幅を受け止め部３１の長さに一致させて、支柱が二段の段差状になってもよい。また、第１面ファスナー８の受け止め部３１の寸法と第２面ファスナー９の受け止め部３１の寸法とは同じでも異なっていてもよい。
【０１０４】
寸法が異なっていれば、第１の面ファスナー８の受け止め部３１と第２の面ファスナー９の延出部１７との係合のみが行われたり、または第２の面ファスナー９の受け止め部３１と上記第１の面ファスナー８の延出部１７との係合のみが行われたりする。
【０１０５】
また、受け止め部３１の延出方向は水平方向のほか、水平方向より斜め下の基板１５、２５方向に傾いていたり、逆に水平方向より斜め上の方向に傾いていたりしてもよい。他の構成・構造・作用は上記図６〜図９の第５実施例または図１０〜図１３の第６実施例と同じである。
【０１０６】
（１０）他の実施の形態
本発明は、上記実施例に限定されず、種々変更可能である。例えば、上記各実施例の一部を他の実施例の一部に取り込んだり置き換えたりしてもよい。例えば、図６〜図９の第５実施例において、第１面ファスナー８と第２面ファスナー９とが連結されてもよい。
【０１０７】
また、図６〜図９の第５実施例において、第２面ファスナー９に微小ループ２６の代わりに微小突起１６が形成されてもよい。さらに、図１４以降の受け止め部３１を図６〜図９の第５実施例の微小突起１６に設けてもよいし、図１０〜図１３の第６実施例の微小突起１６に設けてもよい。
【０１０８】
上記図２乃至図１３において、上記第１面ファスナー８と第２面ファスナー９とをそっくり入れ替えてもよい。これにより、第２アタッチメント１０の方に網５が係止される。そして、第２の面ファスナーを網と共に網戸１から外すことができ、網を交換するとき、網を取り外すのが容易になる。
【０１０９】
上記第１アタッチメント７及び第２アタッチメント１０は、枠２、３または４の前側ではなく、後側に取り付けたり、枠２、３または４の内側または外側に取り付けたりしてもよい。
【０１１０】
第１面ファスナー８及び第２面ファスナー９は、第１アタッチメント７のガイド部７ａの内側、図５の第１アタッチメント７の内側、網戸１の枠２、３または４の前側、後側、外側及び／または内側に取り付けてもよい。第１アタッチメント７及び第２アタッチメント１０の構造・形状は網５を固定できて簡単に交換できるものならばどのようなものでもよい。
【０１１１】
このような第１アタッチメント７および第２アタッチメント１０は、網戸１の修理のほか製造でも使用される。この場合、網戸１の縦枠２、横枠３、中枠４の内縁が段差状に凹み、第２アタッチメント１０の前面がこの凹みにすっぽりと収まり、第２アタッチメント１０の前面と縦枠２、横枠３、中枠４の前面が完全に一致してもよい。
【０１１２】
上記図１０〜図１３の第１面ファスナー１の微小突起１６と第２面ファスナー１６とは、互い違いではなく、２列または３列以上ごとに、互い違いに係合するように配列されてもよい。また、図１０〜図１３の第１面ファスナー１の微小突起１６と第２面ファスナー１６とは、長手方向に沿って、１つずつまたは２つずつ以上に、互い違いに係合するように配列されてもよい。
【０１１３】
上記延出部１７は、微小突起１６の先端だけでなく、微小突起１６の先端やや下・途中・中央などに形成されてもよい。また、延出部１７は２つ一対だけでなく３つ以上でもよいし、微小突起１６に対して１つ単一であってもよい。さらに、くびれ部は、微小突起１６の根元だけでなく、微小突起１６の根元よりやや上・途中・中央などに形成されてもよいし、省略されてもよい。
【０１１４】
上記延出部１７の延出方向は、第１面ファスナー８の幅方向ではなく、長尺方向でもよい。これは、専ら長尺方向に網５に対して力が働く場所では有効である。この場合、第２面ファスナー９の微小ループ２６の方向は、面ファスナー８、９の幅方向となる。
【０１１５】
上記実施例では、延出部１７の延出方向は、第１面ファスナー８の幅方向であるから、第２面ファスナー９の微小ループ２６の方向は、面ファスナー８、９の長尺方向（長手方向）となる。延出部１７は一対正反対の二方向だけではなく、等角度または非等角度で、三方向、四方向、五方向、六方向、…など、多方向に延出されてもよい。
【０１１６】
上記微小突起１６の一方の延出部１７の先端から他方の延出部１７の先端までの長さまたは微小突起１６の幅は、網５の網目１２の最大内間距離／対角線にほぼ一致している。しかし、若干短くてもよい。これにより、延出部１７、１７が網目１２を通りやすくなる。この場合、延出部１７、１７の延出角度は上記４５度より大きくなったり小さくなったりする。また、延出部１７が軟らかく撓みやすいものであれば、網目１２の最大内間距離／対角線より若干大きくてもよい。
【０１１７】
また、この最大内間距離／対角線は、網目１２の寸法／大きさのほか形状によっても変化する。例えば、三角形であれば、この三角形の三辺の最大長の辺の長さに一致する。六角形、八角形などであれば、対角線のなかでいちばん長い対角線または中心を通る対角線にほぼ一致する。
【０１１８】
さらに、図１０〜図１３の微小突起１６の延出部１７の伸びる斜め方向は、長手方向と幅方向との中間の４５度以外に、３０度、１５度、６０度、７５度などどのような角度でもよい。このような角度の選択は、挿通される網５の網目１２の形状、網線１１の角度・方向に応じて行われる。
【０１１９】
本発明の網戸１は、家屋の引き戸式の網戸のほか、回転するように開閉する方式のものや、窓や出入り口に填め込む方式、ロールカーテンにように巻き上げたり巻き戻したりする方式のものなど、どのような場所でも使用可能である。また、本発明の網戸は、テント等のアウトドア施設の窓や、ビニルハウス等の農業施設の窓・網天井、車両・船舶・飛行船等の窓・ドア・ルーフ窓など、網を張ったりあてがったりしたいどのような箇所でも使用可能である。
【０１２０】
また、本発明の網戸の製造方法は、網戸の修理方法も含み、建具に網を取り付けて網戸を製造または再生する方法が含まれる。さらに、本発明の網戸の製造方法は、テント等のアウトドア施設の窓や、ビニルハウス等の農業施設の窓・網天井、車両・船舶・飛行船等の窓・ドア・ルーフ窓など、網を張ったりあてがったりしたいどのような箇所における網戸の製造・修理についても対象とされる。
【０１２１】
上記網５は、金属製、樹脂製、糸製など、素材はどのようなものでもよい。網５の織り方は平織りであるが、綾織り、シュス織り、漁網、農業用網、編み込んだものなど、どのようなものでもよいし、布に近いものや布であってもよいが、網目１２（布目）という隙間があって、上記延出部１７を備えた微小突起１６が貫通できなくてはならない。このとき、上記くびれ部に、上記網５（布）の糸・繊維が引っかかり、上記挟持が補強されることは同じである。
【０１２２】
網５は、縦糸と横糸などが織り込まれていて、一体に繋がっているものではない。したがって、微小突起１６が網目１２を通過するとき、網５の各糸が互いにずれあって微小突起１６を通過させることができる。網５の網目１２の形状は、正方形、長方形、三角形、六角形、八角形などの多角形などどのような形状でもよい。
【０１２３】
網戸１に固定される網５の縁は、上記第１面ファスナー８及び第２面ファスナー９で固定されるが、網５の角も同じく上記第１面ファスナー８及び第２面ファスナー９で固定される。この場合、角部分の網５を折り返す場合には、角部分だけ折り返される網５の層が２〜３層、またはこれ以上となるため、第２面ファスナー９の微小突起１６の高さが第1面ファスナーの微小突起１６の高さより高くなってもよい。
【０１２４】
上記連結折り返し部１３の長さは任意であり、図１３及び図１４の状態よりさらに長くてもよい。これに応じて網５の折り返し部分の長さも任意であり、同じく図１３及び図１４の状態よりさらに長くてもよい。
【０１２５】
（１１）他の発明の効果
［１］網戸の枠に沿って配置され、多数の微小突起を表面に備えた第１の面ファスナーと、  この第１の面ファスナーの微小突起を網目に挿通させて着脱自在に係合される網と、  この網を間に挟んで上記第１の面ファスナーの微小突起に着脱自在に係合する第２の面ファスナーとを備えたことを特徴とする網戸用面ファスナー／網戸。これにより、第２の面ファスナーが網から外れても、網は網戸から外れず、第２の面ファスナーが破損したときでも、虫などの浸入を防ぐことができる。
【０１２６】
［２］網戸の枠に沿って配置された第２の面ファスナーと、  網を間に挟んで上記第２の面ファスナーに着脱自在に係合する第１の面ファスナーとを備え、  この第１の面ファスナーの表面には多数の微小突起が備えられ、この微小突起は上記網の網目に挿通されて上記第２の面ファスナーに着脱自在に係合されるものであることを特徴とする網戸用面ファスナー／網戸。これにより、第２の面ファスナーを網と共に網戸から外すことができ、網を交換するとき、網を取り外すのが容易になる。
【０１２７】
［３］上記第１の面ファスナー及び上記第２の面ファスナーは、ともに多数の微小鉤、微小鈎、微小錨、微小矢印または微小キノコの微小突起を表面に備え、これら両面ファスナーの両微小突起は、上記網の両面から、網の網目に交互に挿通され、第１の面ファスナー及び上記第２の面ファスナーは互いに離間する方向に付勢されていることを特徴とする請求項１または２記載の網戸用面ファスナー／網戸。
【０１２８】
これにより、両方の面ファスナーの微小突起が網の両面から網目を挿通・貫通するので網が強固に固定される。また、網の網目を両側から微小突起が交互に挿通・貫通して、微小錨（延出部）で網の網線を引っかけて、網を互いに引き合うようにして、網を挟み込むことができ、網を強固に固定できる。さらに、網の網線を両面ファスナーの向きが正反対の微小突起で挟み込むことができるので、網を容易に離脱しないように固定できる。
【０１２９】
しかも、第１の面ファスナーと第２の面ファスナーとが互いに離間する方向に付勢されているので、上記微小突起に網の網線を引っかけて、網の向こう側から手前側に網を引き寄せ、しかもこの引き寄せを網の両側から交互に行うことができ、網を容易に離脱しないように固定できる。さらに、第１の面ファスナーと第２の面ファスナーとが互いに離間する方向に付勢されているので、網の交換では、第１の面ファスナーと第２の面ファスナーとを容易に離間させることができ、網の交換が容易になる。
【０１３０】
［４］上記第１の面ファスナーと上記第２の面ファスナーとは連結されて折り返され、上記網の端縁も折り返され、この折り返されて重なった端縁部分の網の網目には上記両面ファスナーの両微小突起が共に挿通されることを特徴とする請求項１、２または３記載の網戸用面ファスナー／網戸。
【０１３１】
これにより、網の折り返された二重の網を微小突起が挿通するので網が強固に固定され、網の端縁が面ファスナーの折り返しで隠されるので見た目にも美しくなる。また、第１の面ファスナーと第２の面ファスナーとは連結されているので、第１の面ファスナーと第２の面ファスナーとの係合の向き及び係合の位置がずれて係合力が弱くなってしまうことがない。
【０１３２】
［５］上記微小突起の支柱の上方から互いに正反対の方向に一対の延出部が突出し、この延出部は面ファスナーの基部の長手方向と幅方向の間の斜め方向に延出されていることを特徴とする請求項１、２、３または４記載の網戸用面ファスナー／網戸。これにより、延出部は上記基部の長手方向と幅方向の間の斜め方向に延出されているので、平織りの網の正方形の網目の隙間に対しては、正方形の中の内間距離のいちばん長い対角線位置で延出部が入り込むので、正方形の網目の隙間から延出部がはずれにくくなる。
【０１３３】
［６］上記微小突起の各間隔は、当該微小突起の幅より大きく、一方の面ファスナーの微小突起の間に、他方の面ファスナーの微小突起が入り込み／互い違いに入り込み、網の網目を両側から微小突起が交互に挿通するとともに挟み込むことを特徴とする請求項１、２、３、４または５記載の網戸用面ファスナー／網戸。網の両側から微小突起が挿通するので、網を強固に固定できる。
【０１３４】
［７］上記第１の面ファスナーと上記第２の面ファスナーとは連結されて折り返され、この折り返された端縁の微小突起は他の微小突起より高さが低く、各面ファスナーの端縁を網に接近させる、または網を面ファスナーの端縁に接近させ、折り返される側の面ファスナーの端縁は他方の面ファスナーの端縁より突出していることを特徴とする請求項１、２、３、４、５または６記載の網戸用面ファスナー／網戸。これにより、面ファスナーの端縁が網に接近されて面ファスナーが剥がれ難くなるし、面ファスナーの端縁が目立たなくなる。
【０１３５】
［８］上記第１の面ファスナーは網戸の枠の前側、後側、外側及び／または内側であることを特徴とする請求項１、２、３、４、５、６または７記載の網戸用面ファスナー／網戸。これにより、第１の面ファスナーが網戸の枠の前側であると、後側から見たとき第１の面ファスナー及び第２の面ファスナーが目立たないし、第１の面ファスナーが網戸の枠の後側であると、前側から見たとき第１の面ファスナー及び第２の面ファスナーが目立たない。また、第１の面ファスナーが網戸の枠の外側または内側であると、前側からでも後側からでも見たとき第１の面ファスナー及び第２の面ファスナーが目立たない。
【０１３６】
［９］上記第１の面ファスナー及び上記第２の面ファスナーのうち、一方の面ファスナーは多数の微小鉤、微小鈎、微小錨、微小矢印または微小キノコの微小突起を表面に備え、他方の面ファスナーは多数の係合素子、すなわち微小ループ、微小環、微小リング、レール状の凸状、微小鉤、微小鈎、微小錨、微小矢印または微小キノコの微小突起を表面に備え、この他方の面ファスナーは上記網の網目に挿通されず、第１の面ファスナーの微小突起に係合する、または網を押さえつけることを特徴とする請求項１、２、３、４、５、６、７または８記載の網戸用面ファスナー／網戸。
【０１３７】
これにより、他方の面ファスナーの係合素子は上記網の網目に挿通されないので、網の交換のとき網を取り外すのが容易となる。むろん、他方の面ファスナーの係合素子は上記網の網目に挿通されてもよい。これにより、網が２つの面ファスナーに強固に結合される。また、微小突起の先端だけを係合に使って、微小突起の中央部から根元にかけて網などの係合に全て使用できる。
【０１３８】
［１０］上記微小鉤、微小鈎、微小錨、微小矢印または微小キノコの微小突起は、面ファスナー表面から支柱が突出して上方が一方向の側方又は複数方向の側方へ延出または曲がって延出部が形成され、この延出部の延出または曲がる方向は網戸の網に対して外方または内方であり、この微小突起の根元付近には、くびれ部が形成されて上記網の網目が係合され、このくびれ部のくびれまたは凹み方向は網戸の網に対して外方または内方であることを特徴とする請求項９記載の網戸用面ファスナー／網戸。これにより、網の網目を正方形から細長く変形させて填め込むことができ、微小突起に延出部があっても、延出部が網目を挿通することができる。
【０１３９】
延出部が微小突起から正反対の方向に伸びていて、延出部が互いに対称形であると、微小突起の前後左右にバランスよく力が働いて分散し、微小突起に片寄った力が働かず、微小突起を傾ける力が働きにくく、微小突起から他の面ファスナーがはずれにくい。また、微小突起の前後左右にバランスよく力が働いて分散し、微小突起に片寄った力が働かないので、微小突起の強度を高める必要がなくなり、微小突起を薄くできる。また、網の網目等に微小突起を通すとき、微小突起を傾ける力が働きにくく、微小突起が網目を容易に挿通することができる。
【０１４０】
［１１］上記第１の面ファスナーの微小突起は平板状であり、上記網の網目を正方形から細長く変形させて填め込むことができ、微小突起に延出部があっても、延出部が網目を挿通することができることを特徴とする請求項１０記載の網戸用面ファスナー／網戸。平板状であるため、製造が容易となる。
【０１４１】
［１２］上記第１の面ファスナーまたは上記第２の面ファスナーの外側には、網を切断するためのガイドが設けられていることを特徴とする請求項１、２、３、４、５、６、７、８、９、１０または１１記載の網戸用面ファスナー／網戸。これにより、余分な網を容易に切り離すことができる。
【０１４２】
［１３］上記第１の面ファスナー及び／または第２の面ファスナーは長尺状であり、上記微小突起には延出部が形成され、上記長尺方向とほぼ直交する方向に延出部は延出されていることを特徴とする請求項１０、１１または１２記載の網戸用面ファスナー／網戸。これにより、面ファスナーの微小突起の幅方向の数が長尺方向の数より少なくても、延出部が網の網目に引っかかって、網は面ファスナーの幅方向からずれたり外れたりしない。長尺方向には微小突起の数が多いので、網は面ファスナーの長尺方向（長手方向）からずれたり外れたりしない。
【０１４３】
［１４］上記第１の面ファスナーは、上記網戸の枠の内側の網係合用の溝に係合するアタッチメントに配置されていることを特徴とする請求項１、２、３、４、５、６、７、７、８、９、１０、１１、１２または１３記載の網戸用面ファスナー／網戸。これにより、網の取り付け、網の交換を容易に行うことができる。
【０１４４】
［１５］網戸の枠に沿って、多数の微小突起を表面に備えた第１の面ファスナーを配置する工程と、  この第１の面ファスナーの微小突起を網の網目に挿通させて着脱自在に係合させる工程と、  この網を間に挟んで上記第１の面ファスナーの微小突起に第２の面ファスナーを着脱自在に係合する工程とを備えたことを特徴とする網戸の製造方法。これにより、第２の面ファスナーが網から外れても、網は網戸から外れず、第２の面ファスナーが破損したときでも、虫などの浸入を防ぐことができる。
【０１４５】
［１６］網戸の枠に沿って第２の面ファスナーを配置する工程と、  網を間に挟んで上記第２の面ファスナーに第１の面ファスナーを着脱自在に係合する工程とを備え、  この第１の面ファスナーの表面には多数の微小突起が備えられ、この微小突起は上記網の網目に挿通されて上記第２の面ファスナーに着脱自在に係合されるものであることを特徴とする網戸の製造方法。これにより、第２の面ファスナーを網と共に網戸から外すことができ、網を交換するとき、網を取り外すのが容易になる。
【０１４６】
［１７］多数の微小鉤、微小鈎、微小錨、微小矢印または微小キノコの微小突起を表面に備えた第１の面ファスナー及び第２の面ファスナーと、  これら第１の面ファスナーと上記第２の面ファスナーとを連結して折り返し可能とした連結折り返し部とを備えた面ファスナー。これにより、第１の面ファスナー及び第２の面ファスナーとの間に網などの任意の素材を挟んで、挟む素材の両側から微小突起を当てることができて、挟む素材を強固に固定できるし、挟む素材の端縁が面ファスナーの折り返しで隠されるので見た目にも美しくなる。
【０１４７】
［１８］上記微小突起の支柱の上方から互いに正反対の方向に一対の延出部が突出し、この延出部は面ファスナーの基部の長手方向と幅方向の間の斜め方向に延出されていることを特徴とする請求項１７記載の面ファスナー。これにより、延出部は上記基部の長手方向と幅方向の間の斜め方向に延出されているので、平織りの網の正方形の網目の隙間に対しては、正方形の中の内間距離のいちばん長い対角線位置で延出部が入り込むので、正方形の網目の隙間から延出部がはずれにくくなる。
【０１４８】
［１９］上記微小突起の各間隔は、当該微小突起の幅より大きく、一方の面ファスナーの微小突起の間に、他方の面ファスナーの微小突起が、互い違いに入り込み、網の網目を両側から微小突起が交互に挿通するとともに挟み込むことを特徴とする請求項１７または１８記載の面ファスナー。網の両側から微小突起が挿通するので、網を強固に固定できる。
【０１４９】
［２０］上記第１の面ファスナーと上記第２の面ファスナーとの折り返された端縁の微小突起は他の微小突起より高さが低く、各面ファスナーの端縁を網に接近させる、または網を面ファスナーの端縁に接近させ、折り返される側の面ファスナーの端縁は他方の面ファスナーの端縁より突出していることを特徴とする請求項１７、１８または１９記載の面ファスナー。これにより、面ファスナーの端縁が網に接近されて面ファスナーが剥がれ難くなるし、面ファスナーの端縁が目立たなくなる。
【０１５０】
［２１］上記微小突起には網の網目の隙間が挿通され、当該網の網目の最大内間距離に、上記延出部の長さまたは微小突起の幅がほぼ一致していることを特徴とする請求項１、２、３、４、５、６、７、７、８、９、１０、１１、１２、１３または１４記載の面ファスナーまたは請求項１７、１８、１９または２０記載の面ファスナー。これにより、網の網目から微小突起の延出部がはずれにくくなる。
【０１５１】
［３１］網戸の枠に沿って配置され、多数の微小突起を表面に備えた第１の面ファスナーであって、この第１の面ファスナーの微小突起は網目に挿通されて網の網線に着脱自在に係合される第１の面ファスナーと、  上記第１の面ファスナーと反対側から、この網の網目に微小突起を挿通させて網の網線に着脱自在に係合され、上記第１の面ファスナーと共に上記網を挟む第２の面ファスナーであって、この第２の面ファスナーの微小突起は、上記第１の面ファスナーの微小突起が挿通されていない網目に挿通される第２の面ファスナーとを備えたことを特徴とする網戸用面ファスナー。これにより、第１面ファスナーと第２面ファスナーの両微小突起が網の両側から挿通するので、網を強固に固定できる。
【０１５２】
［３２］第１の面ファスナーと第２の面ファスナーとからなる網戸用面ファスナーであって、第１の面ファスナーと第２の面ファスナーとのうち、一方は網戸の枠に沿って配置され、他方は一方に着脱自在に係合し、一方の面ファスナーは、多数の微小突起を表面に備えており、この微小突起は網の網目を挿通し、他方の面ファスナーは、上記網を間に挟んで、上記一方の面ファスナーの微小突起に着脱自在に係合する多数の係合素子を表面に備えていることを特徴とする網戸用面ファスナー。これにより、第１の面ファスナーと第２の面ファスナーとの間に網を挟み、一方の面ファスナーの微小突起が、当該網の網目に挿通されて着脱自在に係合されるので、網が一方の面ファスナーに強固に係合し、網が容易に外れないようになる。
【０１５３】
［３３］上記第１の面ファスナーと上記第２の面ファスナーとは連結されており、しかも第１の面ファスナーと上記第２の面ファスナーとは折り返されて、上記網を間に挟むことを特徴とする請求項３１または３２記載の網戸用面ファスナー。これにより、第１の面ファスナー及び第２の面ファスナーとの間に網などの任意の素材を挟んで、挟む素材の両側から微小突起を当てることができて、挟む素材を強固に固定できるし、挟む素材の端縁が面ファスナーの折り返しで隠されるので見た目にも美しくなる。
【０１５４】
［３４］  上記微小突起の根元付近から側方に突出する受け止め部が形成され、この受け止め部は微小突起の先端から側方に突出している延出部より長く、上記係合される網の網線を受け止めて、延出部と受け止め部との間に網の網線を挟むことを特徴とする請求項３１、３２または３３記載の網戸用面ファスナー。これにより、面ファスナーの基板（基部）から網を浮かせて、網の弛みを防止でき、この弛みの分だけ、網の網目がずれてしまうのを防止できて、寸法どおりの間隔で微小突起を網目に挿通させていくことができる。
【０１５５】
［３５］上記第１の面ファスナーの受け止め部は上記第２の面ファスナーの延出部と係合し、または上記第２の面ファスナーの受け止め部は上記第１の面ファスナーの延出部と係合することを特徴とする請求項３４記載の網戸用面ファスナー。これにより、微小突起が網に係合するだけでなく、両面ファスナーの微小突起どうしも係合できて、網をより強固に固定できる。
【０１５６】
［３６］上記網の網目の一部は、上記第１の面ファスナー及び上記第２の面ファスナーの何れの微小突起も挿通されないことを特徴とする請求項３１、３２、３３、３４または３５記載の網戸用面ファスナー。これにより、微小突起が挿通されない網目が容易に変形し、微小突起が挿通する網目の変形を吸収できて、面ファスナーの微小突起の間隔と網目の間隔とが若干一致していなくても、この不一致の誤差を吸収できる。
【０１５７】
［３７］網戸の枠に沿って、多数の微小突起を表面に備えた第１の面ファスナーを配置する工程と、この第１の面ファスナーの微小突起を、網の網目に挿通させて、網の網線に着脱自在に係合させる工程と、  上記第１の面ファスナーと反対側から、上記第１の面ファスナーの微小突起が挿通されていない上記網の網目に、第２の面ファスナーの微小突起を挿通させて、網の網線に着脱自在に係合させ、上記第１の面ファスナーと共に上記網を挟む工程とを備えたことを特徴とする網戸の製造方法。これにより、第１面ファスナーと第２面ファスナーの両微小突起が網の両側から挿通するので、網を強固に固定できる。
【０１５８】
［３８］第１の面ファスナーと第２の面ファスナーとのうち、一方は網戸の枠に沿って配置し、他方は一方に着脱自在に係合する面ファスナーを用いた網戸の製造方法であって、一方の面ファスナーは、多数の微小突起を表面に備えており、この一方の面ファスナーの微小突起を網の網目を挿通させる工程と、他方の面ファスナーは、多数の係合素子を表面に備えており、上記網を間に挟んで、上記一方の面ファスナーの微小突起に当該第２の面ファスナーの係合素子を着脱自在に係合させる工程とを備えたことを特徴とする網戸の製造方法。これにより、第１の面ファスナーと第２の面ファスナーとの間に網を挟み、一方の面ファスナーの微小突起が、当該網の網目に挿通されて着脱自在に係合されるので、網が一方の面ファスナーに強固に係合し、網が容易に外れないようになる。
【０１５９】
［３９］上記請求項３７または請求項３８の網戸の製造方法によって製造されたことを特徴とする請求項３７または請求項３８記載の網戸。これにより、第１面ファスナーと第２面ファスナーの両微小突起が網の両側から挿通するので、網を強固に固定できる。また、第１の面ファスナーと第２の面ファスナーとの間に網を挟み、一方の面ファスナーの微小突起が、当該網の網目に挿通されて着脱自在に係合されるので、網が一方の面ファスナーに強固に係合し、網が容易に外れないようになる。
【産業上の利用可能性】
【０１６０】
第１の面ファスナーと第２の面ファスナーとの間に網戸の網を挟んで、網を強固に固定するとともに、網の交換を容易にした。網戸１の枠２、３、４に接着された第１面ファスナー８の微小突起１６と、この第１面ファスナー８に連結されて折り返される第２面ファスナー９の微小突起１６とは、網戸１の網５の網目１２に交互に挿通され、網５の端縁を挟んで固定する。微小突起１６の延出部１７は他の微小突起１６の受け止め部３１にそれぞれ係合し、第１の面ファスナーの各受け止め部３１…と第２の面ファスナー９の各受け止め部３１…との間に、網５の網線１１が挟まれ、網戸１の網５が強固に固定される。
【０１６１】
第１の面ファスナーと第２の面ファスナーとの間に網戸の網を挟んで、網を強固に固定するとともに、網の交換を容易にした。溝６を塞ぐように、縦枠２、横枠３及び中枠４に対して、第１アタッチメント７が接合されている。この第１アタッチメント７の前面（図２上方）には、長尺状の第１面ファスナー８が接着され、この第１面ファスナー８の表面の多数の微小突起は網５の網目１２に挿通されて、網５が第１面ファスナー８に対して着脱自在に係合される。この網５を間に挟んで上記第１の面ファスナー８に対して、長尺状の第２面ファスナー９が着脱自在に係合される。この第２面ファスナー９は、第２アタッチメント１０の後面（図２下方）に両面テープ等によって接着されている。
【図面の簡単な説明】
【０１６２】
【図１】この発明の一実施の形態に係る網戸１の外観を示す。
【図２】同じく網５の固定構造（第１実施例）を示す。
【図３】同じく網５の固定構造（第２実施例）を示す。
【図４】同じく網５の固定構造（第３実施例）を示す。
【図５】同じく網５の固定構造（第４実施例）を示す。
【図６】同じく第１面ファスナー８の構造（第５実施例）の正面を示す。
【図７】同じく第１面ファスナー８の構造（第５実施例）の平面を示す。
【図８】同じく第１面ファスナー８及び第２面ファスナー９の係合構造（第５実施例）の正面を示す。
【図９】同じく第１面ファスナー８に網５を係合して填め込んだ状態（第５実施例）の平面を示す。
【図１０】同じく互いに連結された第１面ファスナー８及び第２面ファスナー９の構造（第６実施例）の正面を示す。
【図１１】同じく互いに連結された第１面ファスナー８及び第２面ファスナー９の構造（第６実施例）の平面を示す。
【図１２】同じく互いに連結された第１面ファスナー８及び第２面ファスナー９に網５を係合して填め込んだ状態（第６実施例）の平面を示す。
【図１３】同じく互いに連結された第１面ファスナー８に第２面ファスナー９を係合した状態（第６実施例）の正面を示す。
【図１４】同じく互いに連結された第１面ファスナー８に第２面ファスナー９を係合した状態（第７実施例）の正面を示す。
【符号の説明】
【０１６３】
１…網戸、２…縦枠、
３…横枠、４…中枠、
５…網、６…溝、
１１…網線、１２…網目、
７…第１アタッチメント、
７ａ、７ｂ、７ｃ…ガイド部、７ｄ…係止部、
８…第１面ファスナー、９…第２面ファスナー、
１０…第２アタッチメント、
１０ａ、１０ｂ、１０ｃ、１０ｄ…ガイド部、
１３…連結折り返し部、１５…基板（基部）、
１６…微小突起、１７…延出部、
１８…支柱、１９…切断ガイド、
２５…基板、２６…微小ループ（係合素子）、
３１…受け止め部。
【図１】
2006200354.tif 000003
【図２】
2006200354.tif 000004
【図３】
2006200354.tif 000005
【図４】
2006200354.tif 000006
【図５】
2006200354.tif 000007
【図６】
2006200354.tif 000008
【図７】
2006200354.tif 000009
【図８】
2006200354.tif 000010
【図９】
2006200354.tif 000011
【図１０】
2006200354.tif 000012
【図１１】
2006200354.tif 000013
【図１２】
2006200354.tif 000014
【図１３】
2006200354.tif 000015
【図１４】
2006200354.tif 000016